(57)【要約】【課題】情報を記録可能なランドトラックとグルーブトラックとの境界部にアドレス情報を含む補助情報がウォブル信号として記録された光ディスクにおいて、前記ウォブル信号から補助情報を復調するに際し、トレースを行うトラックとトレースを行うトラックの内周側及び外周側の隣接トラックの記録状態がいかなる組み合わせの場合においても、前記ウォブル信号から正確に補助情報の復調が可能となる光ディスクの再生方法及び光ディスクの再生装置を提供する。【解決手段】トレースを行うトラックとトレースを行うトラックの内周側及び外周側の隣接トラックの記録状態を判別し、その記録状態の組み合わせに最適な閾値Ｔｈを用いてウォブル信号Ｗａの二値化を行うため、二値化によって得られる二値化ウォブル信号Ｗｂから正確に補助情報Ａｄを復調することができる。【選択図】図１
2007287219.tif 000002
【特許請求の範囲】
【請求項１】
径方向に交互に隣接し情報をそれぞれに記録可能なグルーブ及びランドと、前記グルーブと前記ランドとの境界部に補助情報がウォブル信号として記録されたウォブルと、を有する光ディスクに対し、レーザ光を照射して前記補助情報を再生する光ディスクの再生方法であって、
前記レーザ光が照射された範囲の前記グルーブ及びランドにおける前記情報の記録状態を検出し、該記録状態に基づいて前記ウォブル信号を二値化する際の基準となる閾値を設定し、該設定された閾値を基準にして前記ウォブル信号を二値化することによって前記補助情報を得ることを特徴とする光ディスクの再生方法。
【請求項２】
径方向に交互に隣接し情報をそれぞれに記録可能なグルーブ及びランドと、前記グルーブと前記ランドとの境界部に補助情報がウォブル信号として記録されたウォブルと、を有する光ディスクに対し、レーザ光を照射して前記補助情報を再生する光ディスクの再生装置であって、
前記光ディスクにレーザ光を照射するレーザ光照射部と、
前記レーザ光が照射された範囲における前記ウォブル信号を検出するウォブル信号検出部と、
前記光ディスクで反射した前記レーザ光の光量を検出する光量検出部と、
この検出したレーザ光の光量に基づいて、前記ウォブル信号を二値化する際の基準となる閾値を設定する閾値設定部と、
この設定した閾値を基準にして、前記ウォブル信号を二値化する二値化部と、
この二値化したウォブル信号から前記補助情報を得る補助情報再生部と、
を有することを特徴とする光ディスクの再生装置。
【発明の詳細な説明】
【技術分野】
【０００１】
本発明は、光ディスクにデジタル情報信号を記録再生する光ディスク記録再生方法及び光ディスク記録再生装置に関し、特に光ディスクのグルーブトラックとランドトラックとの境界部に形成されたウォブルから補助情報を再生する際の、補助情報の再生方法及び補助情報の再生装置に関するものである。
【背景技術】
【０００２】
光ディスクの情報記録方式として、ランド及びグルーブ（溝）それぞれに記録可能なランドグルーブ方式や、グルーブ及び径方向に蛇行するように形成されたウォブル（うねり）それぞれに記録可能なウォブルグルーブ方式がある。ランドグルーブ方式は高密度記録に適し、ウォブルグルーブ方式は微小欠陥に強いとされている。近年、これらの長所を兼ね備えた方式として、ウォブル・ランドグルーブ方式があり、このウォブル・ランドグルーブ方式をフォーマットとする光ディスクとして、ＤＶＤ−ＲＡＭがある。
【０００３】
上記ＤＶＤ−ＲＡＭは、情報信号の記録再生が可能なグルーブトラックとランドトラックが螺旋状に交互に存在しており、グルーブトラックとランドトラックが１トラック毎に接続点で切り替わるウォブル付きシングルスパイラルランド／グルーブトラック記録方式のトラック構造をとっている。当該トラック構造においては、前記接続点を含め、セクタ毎にトラックを分断する形でヘッダーが形成され、そこにアドレス情報を含む補助情報が記録されている。
【０００４】
しかし、上記ＤＶＤ−ＲＡＭのようにセクタ毎にトラックを分断する形でヘッダーが形成される光ディスクの記録フォーマットでは、形成されたヘッダーの分だけ記録容量が減少してしまう。また、セクタ毎にトラックを分断する形でヘッダーが存在することで、グルーブトラック及びランドトラックがその部分だけ途切れる虞があり、更なる改善が望まれる。
【０００５】
一方、トラック（記録情報）の連続性を維持した光ディスクのフォーマットとしては、ＤＶＤ−ＲＷなどのようにグルーブトラックのみを記録トラックとし、ランド部にはアドレス情報をプリピットで形成したものが知られている。
【０００６】
上記ＤＶＤ−ＲＷのような記録フォーマットでは、トラック方向に連続して記録再生を行うことができ、ヘッダーが無い分だけ線密度も詰められるが、ランドトラックはアドレス情報を含む補助情報としてのみに使用されるので、高密度大容量化に対してその改善が望まれる。
【０００７】
より高密度大容量の光ディスクで音声情報や画像情報の記録再生を行うことを考える場合、ランドトラック及びグルーブトラックの両方のトラックに記録再生が可能な光ディスク（ＤＶＤ−ＲＡＭ）を基本とする際、更にヘッダーによるアドレッシング手段を取らずに連続的に記録再生が可能な記録フォーマットを実現することが望ましい。
【０００８】
下記［特許文献１］には上記の問題を解決するための光学的情報記録媒体（光ディスク）、光学的情報記録再生方法及び装置に関する発明が開示されている。この［特許文献１］に開示されている光ディスクは、図３の模式図に示されるように、情報信号の記録再生が可能なランドトラック１０１及びグルーブトラック１０２がディスク径方向に交互に隣接して形成されており、ランドトラック１０１の片側の境界部の一部には、そのランドトラック１０１のアドレス情報を含む補助情報がウォブル信号として記録されたウォブル５２が形成され、グルーブトラック１０２の片側の境界部の一部には、そのグルーブのアドレス情報を含む補助情報がウォブル信号として記録されたウォブル５１が形成されている。尚、ランドトラック１０１におけるウォブル５２とグルーブトラック１０２におけるウォブル５１はトラック方向にずらして形成されており、また、ウォブル５１、５２以外の境界部には一定の周期からなるウォブル５０が形成され、このウォブル５０に記録された信号を検出することによって同期信号を得ている。
【０００９】
一般的にトラックの境界部に形成されたウォブルからウォブル信号を再生するためには、再生するウォブルが形成されたトラックに対し、レーザ光を照射してトレースを行う。この際、照射するレーザ光は図３中のレーザ照射スポットＳに示すように、トレースを行うトラック（図３ではグルーブトラック１０２）と、トレースを行うトラックのディスク内周側の隣接トラック、及びトレースを行うトラックのディスク外周側の隣接トラックとにまたがるように照射しなければならない。トレースを行うトラックとトレースを行う内周側及び外周側の隣接トラックにまたがるように照射されたレーザの反射光は、トラックの走査方向つまり光ディスク内周側と外周側とに２分割して検出され、ウォブル信号検出部は両反射光の差分をとることでウォブル信号を再生する。
【００１０】
この［特許文献１］の光ディスクによれば、ランドトラック１０１及びグルーブトラック１０２の両方のトラックに記録再生が可能で、かつ、ランドトラック１０１の境界部に形成されたウォブル５２とグルーブトラック１０２の境界部に形成されたウォブル５１と一定周期のウォブル５０とから、アドレス情報を含む補助情報と、同期信号を得ることができるため、セクタ毎にトラックを分断する形でヘッダーを形成する必要がない。よって、ランドトラック１０１とグルーブトラック１０２の両方に情報信号の記録再生ができる高密度大容量の光ディスクでありながら、トラックに連続的に情報信号の記録再生が可能となる。
【００１１】
【特許文献１】特開２００３−１７８４６４号公報
【発明の開示】
【発明が解決しようとする課題】
【００１２】
上記のように、［特許文献１］で開示された光ディスクにおいて、ランドトラックもしくはグルーブトラックの境界部に形成されたウォブルからウォブル信号を再生するためには、トレースを行うトラックとトレースを行うトラックの内周側及び外周側の両隣接トラックにまたがるようにレーザ光を照射し、その反射光を得る必要がある。しかしながら、照射されたレーザ光の反射光の光量は各トラックの記録状態によって変化する。このため、トレースを行うトラックとトレースを行うトラックの内周側及び外周側の隣接トラックの記録状態の組み合わせによっては、ウォブルから検出されるウォブル信号の波形の振幅にずれが生じたり、ウォブル信号の復調時に誤検出が発生したりと正確にウォブル信号の再生ができないという課題がある。
【００１３】
上記の課題を図４、図５を用いて詳しく説明する。図４は図３の光ディスクのランドトラックとグルーブトラックの模式図に各トラックの記録領域の記録状態を追記したものである。尚、図４中の斜線部分は記録済み状態の記録領域を、また、図４中の白色部分は未記録状態の記録領域を表すものとする。
【００１４】
ここで、仮に図４のグルーブトラック１０２ａの境界部に形成されたウォブル５１ａからウォブル信号を再生する場合を考える。前述のようにグルーブトラック１０２ａのウォブル５１ａからウォブル信号を再生するためには、グルーブトラック１０２ａとグルーブトラック１０２ａにディスク内周側で隣接するランドトラック１０１ａ、及びグルーブトラック１０２ａにディスク外周側で隣接するランドトラック１０１ｂとにまたがるようにレーザを照射する必要がある。
【００１５】
ここで例えば、光ディスク内周側から連続して情報信号の記録を行う場合には、照射スポットＳｂに示されるように、グルーブトラック１０２ａの内周側のランドトラック１０１ａは記録済み状態であり、グルーブトラック１０２ａの外周側のランドトラック１０１ｂは未記録状態となる。また、記録済みの領域にオーバーライトする場合には、照射スポットＳｃに示されるように、グルーブトラック１０２ａの内周側及び外周側に隣接するランドトラック１０１ａ、１０１ｂがともに記録済みの状態となる。このように、光ディスクにある程度の情報信号の記録が進むと、ランドトラック１０１及びグルーブトラック１０２の記録領域には記録済み状態の記録領域と未記録状態の記録領域とが混在することとなる。よって、照射スポットＳａに示されるように、グルーブトラック１０２ａの内周側及び外周側に隣接するランドトラック１０１ａ、１０１ｂがともに未記録状態である場合や、照射スポットＳｄに示されるように、グルーブトラック１０２ａの内周側のランドトラック１０１ａは未記録状態であり、グルーブトラック１０２ａの外周側のランドトラック１０１ｂは記録済み状態である場合も容易に想定される。
【００１６】
各トラックの記録領域が記録済み状態の場合と未記録状態の場合とでは、レーザ光の反射率が異なるため、光ピックアップに受光する反射光の光量に差が生じる。このため、ウォブルから検出されるウォブル信号の光量の振幅も各トラックの記録状態に応じて変化することとなる。仮に光ディスクが相変化型の場合、トラックの記録領域が未記録状態の方が反射光の光量は大きくなるため、トレースを行うトラックの内周側及び外周側双方の隣接トラックが未記録状態の場合に得られるウォブル信号の光量の振幅は大きくなる。反対にトラックの記録領域が記録済み状態であれば反射光の光量は未記録状態に比べ小さくなるため、トレースを行うトラックの内周側及び外周側双方の隣接トラックが記録済み状態の場合に得られるウォブル信号の光量の振幅は小さくなる。尚、記録状態の違いによる反射率の差は光ディスクの種類によって異なり、例えば色素系の追記型の光ディスクでは、相変化型の光ディスクとは逆に記録済み状態で反射光の光量が大きく、未記録状態で反射光の光量が小さくなる。
【００１７】
上記のように、トラックの記録状態による反射光の光量の変化は、光ディスクの種類により異なるが、以後の説明においては相変化型の光ディスクの場合を例に用いて行うものとする。
【００１８】
ここで、図５に従来の光ディスクの補助情報の再生方法におけるウォブル信号の二値化を説明する図を示す。尚、図５におけるウォブル信号Ｗａ１、Ｗａ２、Ｗａ３は、図４における照射スポットＳａ、Ｓｂ、Ｓｃの各トラックの記録状態で得られるウォブル信号にそれぞれ対応するものとする。
【００１９】
図５から、トレースを行うトラックの内周側及び外周側双方の隣接トラックの記録領域が未記録状態である照射スポットＳａで得られるウォブル信号Ｗａ１は光量の振幅が大きく、反対にトレースを行うトラックの内周側及び外周側双方の隣接トラックの記録領域が記録済み状態である照射スポットＳｃで得られるウォブル信号Ｗａ３は光量の振幅が小さい。また、トレースを行うトラックの内周側の隣接トラックの記録領域が記録済み状態であり、トレースを行うトラックの外周側の隣接トラックの記録領域が未記録状態である照射スポットＳｂで得られるウォブル信号Ｗａ２は、ウォブル信号Ｗａ１とウォブル信号Ｗａ３との間の光量の振幅を有することとなる。
【００２０】
ウォブル信号をアドレス情報を含む補助情報に復調するためには、ウォブル信号を二値化し二値化ウォブル信号とする必要がある。一般にウォブル信号の二値化は、ある一定の閾値を基準に用いて行われる。ここで、図５において、仮に閾値Ｔｈ４を基準に用いてウォブル信号Ｗａ１〜Ｗａ３の二値化を行う場合を考える。ウォブル信号Ｗａ１を閾値Ｔｈ４を基準に用いて二値化し得られる二値化ウォブル信号Ｗｂ１は、補助情報として付与された信号Ｗｃと同等の信号が得られている。しかしながら、光量の振幅が小さいウォブル信号Ｗａ２、Ｗａ３を同様の閾値Ｔｈ４を基準に用いて二値化した場合、得られる二値化ウォブル信号Ｗｂ２、Ｗｂ３は、二値化の基準に用いられる閾値Ｔｈ４がウォブル信号Ｗａ２、Ｗａ３の二値化に最適な値ではないために、補助情報として付与された信号Ｗｃとの間に図５中の破線に示すようなずれが生じてしまう。
【００２１】
このように補助情報として付与された信号Ｗｃとずれが生じている二値化ウォブル信号Ｗｂ２、Ｗｂ３からアドレス情報を含む補助情報の復調を行うと、誤検出が発生するなどして補助情報を正確に復調することができない。
【００２２】
本発明は上記事情に鑑みてなされたものであり、径方向に交互に隣接し情報をそれぞれに記録可能なランドトラックとグルーブトラックと、前記ランドトラックと前記グルーブトラックとの境界部にアドレス情報を含む補助情報がウォブル信号として記録された光ディスクにおいて、前記ウォブルから得られるウォブル信号からアドレス情報を含む補助情報を復調するに際し、トレースを行うトラックとトレースを行うトラックの内周側及び外周側の隣接トラックの記録状態がいかなる組み合わせの場合においても、前記ウォブル信号から正確にアドレス情報を含む補助情報の復調が可能となる光ディスクの再生方法及び光ディスクの再生装置を提供することを目的とする。
【課題を解決するための手段】
【００２３】
本発明は、径方向に交互に隣接し情報をそれぞれに記録可能なグルーブ及びランドと、前記グルーブと前記ランドとの境界部に補助情報Ａｄがウォブル信号Ｗａとして記録されたウォブルと、を有する光ディスク１０に対し、レーザ光を照射して前記補助情報Ａｄを再生する光ディスクの再生方法であって、
前記レーザ光が照射された範囲の前記グルーブ及びランドにおける前記情報の記録状態を検出し、該記録状態に基づいて前記ウォブル信号Ｗａを二値化する際の基準となる閾値Ｔｈを設定し、該設定された閾値Ｔｈを基準にして前記ウォブル信号Ｗａを二値化することによって前記補助情報Ａｄを得ることを特徴とする光ディスクの再生方法を提供することにより、上記課題を解決する。
【００２４】
また、径方向に交互に隣接し情報をそれぞれに記録可能なグルーブ及びランドと、前記グルーブと前記ランドとの境界部に補助情報Ａｄがウォブル信号Ｗａとして記録されたウォブルと、を有する光ディスク１０に対し、レーザ光を照射して前記補助情報Ａｄを再生する光ディスクの再生装置であって、
前記光ディスク１０にレーザ光を照射するレーザ光照射部と、
前記レーザ光が照射された範囲における前記ウォブル信号Ｗａを検出するウォブル信号検出部１２と、
前記光ディスク１０で反射した前記レーザ光の光量を検出する光量検出部１３と、
この検出したレーザ光の光量に基づいて、前記ウォブル信号Ｗａを二値化する際の基準となる閾値Ｔｈを設定する閾値設定部１４と、
この設定した閾値Ｔｈを基準にして、前記ウォブル信号Ｗａを二値化する二値化部１５と、
この二値化したウォブル信号から前記補助情報Ａｄを得る補助情報再生部１６と、
を有することを特徴とする光ディスクの再生装置を提供することにより、上記課題を解決する。
【発明の効果】
【００２５】
本発明に係る光ディスクの再生方法及び光ディスクの再生装置は、上記のような構成のため、径方向に交互に隣接し情報をそれぞれに記録可能なランドトラックとグルーブトラックと、前記ランドトラックと前記グルーブトラックとの境界部にアドレス情報を含む補助情報がウォブル信号として記録された光ディスクにおいて、前記ウォブルから得られるウォブル信号からアドレス情報を含む補助情報を復調するに際し、トレースを行うトラックとトレースを行うトラックの内周側及び外周側の隣接トラックの記録状態がいかなる組み合わせの場合においても、前記ウォブル信号から正確にアドレス情報を含む補助情報の復調が可能となる。
【発明を実施するための最良の形態】
【００２６】
本発明に係る光ディスクの再生方法及び光ディスクの再生装置の実施の形態について図面に基づいて説明する。図１は本発明に係る光ディスクの補助情報再生装置のブロック図である。図２は本発明に係る光ディスクの補助情報の再生方法におけるウォブル信号の二値化を説明する図である。尚、図１においては情報信号の記録再生等、本発明に直接関係の無いブロックに関しては記載及び説明を省略する。
【００２７】
図１に示す本発明に係る光ディスクの補助情報再生装置５０は、光ディスク１０にレーザ光を照射するとともに光ディスク１０からの反射光を検出する光ピックアップ１１を有するレーザ照射部と、光ピックアップ１１で検出された再生信号Ｗｓからウォブル信号Ｗａを検出するウォブル信号検出部１２と、光ピックアップ１１で受光される各トラックの反射光の光量を検出し光量信号Ｓｔを得る光量検出部１３と、光量検出部１３からの光量信号Ｓｔからウォブル信号Ｗａを二値化するための閾値Ｔｈを設定する閾値設定部１４と、ウォブル信号検出部１２からのウォブル信号Ｗａを閾値設定部１４で設定された閾値Ｔｈを基準に二値化を行う二値化部１５と、二値化された二値化ウォブル信号Ｗｂをアドレス情報を含む補助情報Ａｄに復調する補助情報再生部１６とを有している。
【００２８】
レーザ照射部の光ピックアップ１１は、光ディスク１０にレーザ光を照射するとともに光ディスク１０からの反射光を受光する。光ピックアップ１１が光ディスク１０にレーザ光を照射する際には、トレースを行うトラックとトレースを行うトラックの内周側及び外周側の隣接トラックにまたがるようにレーザ光を照射する。これにより、照射されたレーザ光の反射光にはレーザ光が照射された範囲におけるウォブルからのウォブル信号Ｗａが含まれることとなる。光ピックアップ１１はこの反射光から、ウォブル信号Ｗａを含んだ再生信号Ｗｓを検出する。
【００２９】
ウォブル信号検出部１２は、光ピックアップ１１で検出された再生信号Ｗｓからウォブル信号Ｗａを検出して二値化部１５に出力する。尚、この際得られるウォブル信号Ｗａは、前述のようにトレースを行うトラックとトレースを行うトラックの内周側及び外周側の隣接トラックの記録状態の組み合わせにより光量の振幅が変化する。
【００３０】
光量検出部１３は、光ピックアップ１１で受光されるトレースを行うトラックとトレースを行うトラックの内周側及び外周側の隣接トラックの反射光から、各トラックの反射光の光量を検出し、光量信号Ｓｔとして閾値設定部１４に出力する。尚、各トラックの記録領域が記録済み状態の場合と未記録状態の場合とではレーザ光の反射率が異なるため、トラックの記録領域が記録済み状態である場合の反射光の光量と、トラックの記録領域が未記状態である場合の反射光の光量とでは、判別可能な差が生ずる。
【００３１】
閾値設定部１４は、光量検出部１３からの各トラックの光量信号Ｓｔに基づいて、各トラックの記録状態の組み合わせに対応する最適な閾値Ｔｈを選択し二値化部１５に出力する。尚、閾値Ｔｈの値は各トラックの記録状態の全ての組み合わせにおける最適な値を、予めメモリ（図示せず）に設定しておくか、イニシャル時の学習により予め取得しておくものとする。
【００３２】
二値化部１５は、ウォブル信号検出部１２からのウォブル信号Ｗａを、閾値設定部１４から得られる各トラックの記録状態の組み合わせに対応した最適な閾値Ｔｈを基準に用いて二値化を行い、二値化ウォブル信号Ｗｂを得る。
【００３３】
補助情報再生部１６は、二値化部１５で得られた二値化ウォブル信号Ｗｂをアドレス情報を含む補助情報Ａｄに復調する。
【００３４】
得られたアドレス情報を含む補助情報Ａｄは、記録再生条件設定部１７に出力される。記録再生条件設定部１７は補助情報再生部１６により復調された補助情報Ａｄに基づいて、サーボ制御回路１８、レーザ駆動回路１９などに所定の信号を送り、補助情報Ａｄに則した条件で光ディスク１０に情報信号の記録又は再生を行う。
【００３５】
次に、図２において、本発明に係る光ディスクの補助情報の再生方法におけるウォブル信号の二値化を、図４における照射スポットＳａ、Ｓｂ、Ｓｃの各トラックの記録状態で得られるウォブル信号Ｗａ１、Ｗａ２、Ｗａ３の二値化を例に説明する。尚、図２におけるウォブル信号Ｗａ１、Ｗａ２、Ｗａ３も、図５同様トレースを行うトラックとトラックの内周側及び外周側双方の隣接トラックの記録領域の組み合わせにより光量の振幅が変化する。
【００３６】
照射スポットＳａで得られるウォブル信号Ｗａ１の二値化を行う場合、光量検出部１３が光ピックアップ１１で受光される各トラックからの反射光の光量を検出し、トレースを行うトラックとトレースを行うトラックの内周側及び外周側双方の隣接トラックの記録領域が全て未記録状態にあることを示す光量信号Ｓｔを閾値設定部１４に出力する。閾値設定部１４は光量検出部１３からの各トラックの記録領域が全て未記録状態にあることを示す光量信号Ｓｔを受けて、各トラックの記録領域が全て未記録状態である場合のウォブル信号Ｗａの二値化に最適な閾値Ｔｈ１を選択し二値化部１５に出力する。二値化部１５は閾値設定部１４で選択された閾値Ｔｈ１を基準に用いウォブル信号Ｗａ１の二値化を行い、二値化ウォブル信号Ｗｂ４を得る。
【００３７】
照射スポットＳｂで得られるウォブル信号Ｗａ２の二値化を行う場合、光量検出部１３が光ピックアップ１１で受光される各トラックからの反射光の光量を検出し、トレースを行うトラックの内周側の隣接トラックの記録領域が記録済み状態で、トレースを行うトラックとトレースを行うトラックの外周側の隣接トラックの記録領域が未記録状態にあることを示す光量信号Ｓｔを閾値設定部１４に出力する。閾値設定部１４は光量検出部１３からのトレースを行うトラックの内周側の隣接トラックの記録領域が記録済み状態で、トレースを行うトラックとトレースを行うトラックの外周側の隣接トラックの記録領域が未記録状態にあることを示す光量信号Ｓｔを受けて、トレースを行うトラックの内周側の隣接トラックの記録領域が記録済み状態で、トレースを行うトラックとトレースを行うトラックの外周側の隣接トラックの記録領域が未記録状態である場合のウォブル信号Ｗａの二値化に最適な閾値Ｔｈ２を選択し二値化部１５に出力する。二値化部１５は閾値設定部１４で選択された閾値Ｔｈ２を基準に用いウォブル信号Ｗａ２の二値化を行い、二値化ウォブル信号Ｗｂ５を得る。
【００３８】
照射スポットＳｃで得られるウォブル信号Ｗａ３の二値化を行う場合、光量検出部１３が光ピックアップ１１で受光される各トラックからの反射光の光量を検出し、トレースを行うトラックの記録領域が未記録状態で、トレースを行うトラックの内周側及び外周側双方の隣接トラックの記録領域が記録済み状態にあることを示す光量信号Ｓｔを閾値設定部１４に出力する。閾値設定部１４は光量検出部１３からのトレースを行うトラックの記録領域が未記録状態で、トレースを行うトラックの内周側及び外周側双方の隣接トラックの記録領域が記録済み状態にあることを示す光量信号Ｓｔを受けて、トレースを行うトラックの記録領域が未記録状態で、トレースを行うトラックの内周側及び外周側双方の隣接トラックの記録領域が記録済み状態である場合のウォブル信号Ｗａの二値化に最適な閾値Ｔｈ３を選択し二値化部１５に出力する。二値化部１５は閾値設定部１４で選択された閾値Ｔｈ３を基準に用いウォブル信号Ｗａ３の二値化を行い、二値化ウォブル信号Ｗｂ６を得る。
【００３９】
以上のようにウォブル信号Ｗａ１〜Ｗａ３はウォブル信号Ｗａ１〜Ｗａ３毎に最適な閾値Ｔｈ１〜Ｔｈ３が設定され二値化が行われるため、得られる二値化ウォブル信号Ｗｂ４、Ｗｂ５、Ｗｂ６は、常に補助情報として付与された信号Ｗｃと同等となり、ずれ等が生じることはない。このような二値化ウォブル信号Ｗｂ４、Ｗｂ５、Ｗｂ６を補助情報再生部１６によりアドレス情報を含む補助情報Ａｄに復調しても誤検出等は発生せず、アドレス情報を含む補助情報Ａｄとして正確に復調される。
【００４０】
以上の説明においては、トレースを行うトラックが未記録状態のグルーブトラックである例を用いて説明を行ったが、トレースを行うトラックが記録済み状態である場合や、ランドトラックである場合でも、得られる光量信号Ｓｔに対応する閾値Ｔｈが設定されているため、同様の手順により正確にアドレス情報を含む補助情報Ａｄの復調を行うことができる。
【００４１】
以上のことから、本発明の光ディスクの再生方法及び光ディスクの再生装置によれば、トレースを行うトラックとトレースを行うトラックの内周側及び外周側の隣接トラックがいかなる記録状態の組み合わせであったとしても、トレースを行うトラックとトレースを行うトラックの内周側及び外周側の隣接トラックの記録状態を判別し、その記録状態の組み合わせに最適な閾値Ｔｈを基準に用いてウォブル信号Ｗａの二値化を行うため、得られる二値化ウォブル信号Ｗｂは常に補助情報として付与された信号Ｗｃと同等のものとなり、二値化ウォブル信号Ｗｂから正確に補助情報Ａｄを復調することができる。
【００４２】
尚、各トラックの記録状態による反射光の光量の変化は、トラックの記録状態のみならず、記録ピットの密度によっても反射光の光量に変化が生じる。この場合、閾値設定部１４における閾値Ｔｈの設定を、光量検出部１３からの各トラックの光量信号Ｓｔを基に所定の演算によって行っても良い。閾値Ｔｈの設定を光量信号Ｓｔを基に所定の演算により行うことで、各トラックの記録状態の組み合わせに加え、記録済みトラックの記録ピットの密度の多少による反射光の光量の変化にも対応可能な閾値Ｔｈが適宜設定可能となる。
【００４３】
尚、本例においては相変化型の光ディスクを例に用いて説明を行ったが、特に相変化型の光ディスクに限定するものではなく、例えば追記型の光ディスク等の相変化媒体以外の光ディスクにおいても適用が可能な他、本発明の要旨を逸脱しない範囲で変更して実施することが可能である。
【図面の簡単な説明】
【００４４】
【図１】本発明に係る光ディスクの補助情報再生装置のブロック図である。
【図２】本発明に係る光ディスクの補助情報の再生方法におけるウォブル信号の二値化を説明する図である。
【図３】従来の光ディスクのランドトラックとグルーブトラックの模式図である。
【図４】従来の光ディスクのランドトラックとグルーブトラックの記録状態を示した模式図である。
【図５】従来の光ディスクの補助情報の再生方法におけるウォブル信号の二値化を説明する図である。
【符号の説明】
【００４５】
１１    光ピックアップ
１２    ウォブル信号検出部
１３    光量検出部
１４    閾値設定部
１５    二値化部
１６    補助情報再生部
１７    記録再生条件設定部
５０    補助情報再生装置
Ｗｓ    再生信号
Ｗａ、Ｗａ１、Ｗａ２、Ｗａ３    ウォブル信号
Ｗｂ、Ｗｂ１〜Ｗｂ６    二値化ウォブル信号
Ｓｔ    光量信号
Ｔｈ、Ｔｈ１、Ｔｈ２、Ｔｈ３    閾値
Ａｄ    補助情報
【図１】
2007287219.tif 000003
【図２】
2007287219.tif 000004
【図３】
2007287219.tif 000005
【図４】
2007287219.tif 000006
【図５】
2007287219.tif 000007